(57)【要約】【課題】  動画を添付したメールの送信に係る利便性を向上させる。【解決手段】  制御部１２２は、撮像デバイス１３０、ＤＳＰ１２９により高画質（高解像度）で取り込み、動画としてＲＡＭ１２４に保存する。また、制御部１２２は、保存された動画の縦横サイズをメールに添付可能なサイズにリサイズするとともに、再生しつつ時間軸上で切り出し、さらに、低ビットレートで再エンコードする。また、制御部１２２は、撮影した複数の動画を結合し、１つの動画に変換する。このとき、必要に応じて、リサイズ、低ビットレートで再エンコードを行なう。そして、上記リサイズ、切り出し、または結合された動画をメールに添付して他の端末等へ送信する。【選択図】  図１
2005044187.tif 000002
【特許請求の範囲】
【請求項１】
動画データの縦横サイズをリサイズするリサイズ手段と、
前記リサイズ手段によりリサイズされた動画データをメールに添付してメールを作成するメール作成手段と、
前記メール作成手段により作成されたメールを送信する送信手段と
を具備することを特徴とする送信装置。
【請求項２】
動画データを時間軸上で一部を切り取る切取手段と、
前記切取手段により切り取られた動画データをメールに添付してメールを作成するメール作成手段と、
前記メール作成手段により作成されたメールを送信する送信手段と
を具備することを特徴とする送信装置。
【請求項３】
複数の動画データを結合する結合手段と、
前記結合手段により結合された動画データをメールに添付してメールを作成するメール作成手段と、
前記メール作成手段により作成されたメールを送信する送信手段と
を具備することを特徴とする送信装置。
【請求項４】
元の動画データから新たな動画データを生成する際に、元の動画データをデコードしつつ、メールに添付可能なビットレートで再エンコードする動画変換手段を具備することを特徴とする請求項１ないし３のいずれかに記載の送信装置。
【請求項５】
撮像手段を更に具備し、
前記動画データは、前記撮像手段によって撮像された撮像データであることを特徴とする請求項１ないし４のいずれかに記載の送信装置。
【請求項６】
撮像手段と、
前記撮像手段によって撮像された動画データを時間軸上で一部を切り取る切取手段と、
前記切取手段によって切り取られた動画データの縦横サイズをリサイズするリサイズ手段と、
前記リサイズ手段によりリサイズされた動画データをメールに添付してメールを作成するメール作成手段と、
前記メール作成手段により作成されたメールを送信する送信手段と
を具備することを特徴とする送信装置。
【請求項７】
動画データの縦横サイズをリサイズするリサイズステップと、
前記リサイズされた動画データをメールに添付してメールを作成するメール作成ステップと、
前記作成されたメールを送信する送信ステップと
を具備することを特徴とする動画付きメール送信方法。
【請求項８】
動画データを時間軸上で一部を切り取る切り取りステップと、
前記切り取られた動画データをメールに添付してメールを作成するメール作成ステップと、
前記作成されたメールを送信する送信ステップと
を具備することを特徴とする動画付きメール送信方法。
【請求項９】
複数の動画データを結合する結合ステップと、
前記結合された動画データをメールに添付してメールを作成するメール作成ステップと、
前記作成されたメールを送信する送信ステップと
を具備することを特徴とする動画付きメール送信方法。
【請求項１０】
元の動画データから新たな動画データを生成する際に、元の動画データをデコードしつつ、メールに添付可能なビットレートで再エンコードする動画変換ステップを具備することを特徴とする請求項７ないし９のいずれかに記載の動画付きメール送信方法。
【請求項１１】
前記動画データは、撮像手段によって撮像された撮像データであることを特徴とする請求項７ないし１０のいずれかに記載の動画付きメール送信方法。
【請求項１２】
撮像手段によって撮像された動画データを時間軸上で一部を切り取る切り取りステップと、
前記切り取られた動画データの縦横サイズをリサイズするリサイズステップと、
前記リサイズされた動画データをメールに添付してメールを作成するメール作成ステップと、
前記作成されたメールを送信する送信ステップと
を具備することを特徴とする動画付きメール送信方法。
【発明の詳細な説明】
【技術分野】
【０００１】
本発明は、メールに動画を添付して送信する送信装置および動画付きメール送信方法に関する。
【背景技術】
【０００２】
従来より、各種ファイルを添付して電子メールをやりとりするシステムが存在し、近年では、携帯電話等の無線通信端末に撮像機能を備えさせ、撮像された画像（もしくは画像が格納されているＵＲＬ）をメールに添付して相手先の無線通信端末に送信し、受信した相手先の無線通信端末でメール本文と画像とを表示させるサービスが知られている（例えば、特許文献１参照）。
【０００３】
【特許文献１】特開２００２−３５９６９５号公報
【発明の開示】
【発明が解決しようとする課題】
【０００４】
しかしながら、上記従来技術では、携帯電話が備えるデジタルカメラによって撮影した動画をメールに添付しようとした場合、撮影した動画のサイズや撮影時間が異なっているため、メールに添付可能なサイズにリサイズしたり、再生時間を短くしたりする動画編集作業をユーザが手作業で行っていたため、動画付きメールを送信する際の利便性が非常に悪いという問題があった。
【０００５】
そこで本発明は、動画を添付したメールの送信に係る利便性を向上させることができる送信装置および動画付きメール送信方法を提供することを目的とする。
【課題を解決するための手段】
【０００６】
上記目的達成のため、請求項１記載の発明による送信装置は、動画データの縦横サイズをリサイズするリサイズ手段と、前記リサイズ手段によりリサイズされた動画データをメールに添付してメールを作成するメール作成手段と、前記メール作成手段により作成されたメールを送信する送信手段とを具備することを特徴とする。
【０００７】
また、上記目的達成のため、請求項２記載の発明による送信装置は、動画データを時間軸上で一部を切り取る切取手段と、前記切取手段により切り取られた動画データをメールに添付してメールを作成するメール作成手段と、前記メール作成手段により作成されたメールを送信する送信手段とを具備することを特徴とする。
【０００８】
また、上記目的達成のため、請求項３記載の発明による送信装置は、複数の動画データを結合する結合手段と、前記結合手段により結合された動画データをメールに添付してメールを作成するメール作成手段と、前記メール作成手段により作成されたメールを送信する送信手段とを具備することを特徴とする。
【０００９】
また、好ましい態様として、例えば請求項４記載のように、請求項１ないし３のいずれかに記載の送信装置において、元の動画データから新たな動画データを生成する際に、元の動画データをデコードしつつ、メールに添付可能なビットレートで再エンコードする動画変換手段を具備するようにしてもよい。
【００１０】
また、好ましい態様として、例えば請求項５記載のように、請求項１ないし４のいずれかに記載の送信装置において、撮像手段を更に具備し、前記動画データは、前記撮像手段によって撮像された撮像データであってもよい。
【００１１】
また、上記目的達成のため、請求項６記載の発明による送信装置は、撮像手段と、前記撮像手段によって撮像された動画データを時間軸上で一部を切り取る切取手段と、前記切取手段によって切り取られた動画データの縦横サイズをリサイズするリサイズ手段と、前記リサイズ手段によりリサイズされた動画データをメールに添付してメールを作成するメール作成手段と、前記メール作成手段により作成されたメールを送信する送信手段とを具備することを特徴とする。
【００１２】
また、上記目的達成のため、請求項７記載の発明による動画付きメール送信方法は、動画データの縦横サイズをリサイズするリサイズステップと、前記リサイズされた動画データをメールに添付してメールを作成するメール作成ステップと、前記作成されたメールを送信する送信ステップとを具備することを特徴とする。
【００１３】
また、上記目的達成のため、請求項８記載の発明による動画付きメール送信方法は、動画データを時間軸上で一部を切り取る切り取りステップと、前記切り取られた動画データをメールに添付してメールを作成するメール作成ステップと、前記作成されたメールを送信する送信ステップとを具備することを特徴とする。
【００１４】
また、上記目的達成のため、請求項９記載の発明による動画付きメール送信方法は、複数の動画データを結合する結合ステップと、前記結合された動画データをメールに添付してメールを作成するメール作成ステップと、前記作成されたメールを送信する送信ステップとを具備することを特徴とする。
【００１５】
また、好ましい態様として、例えば請求項１０記載のように、請求項７ないし９のいずれかに記載の動画付きメール送信方法において、元の動画データから新たな動画データを生成する際に、元の動画データをデコードしつつ、メールに添付可能なビットレートで再エンコードする動画変換ステップを具備するようにしてもよい。
【００１６】
また、好ましい態様として、例えば請求項１１記載のように、請求項７ないし１０のいずれかに記載の動画付きメール送信方法において、撮像手段によって撮像された撮像データを動画データとするようにしてもよい。
【００１７】
また、上記目的達成のため、請求項１２記載の発明による動画付きメール送信方法は、撮像手段によって撮像された動画データを時間軸上で一部を切り取る切り取りステップと、前記切り取られた動画データの縦横サイズをリサイズするリサイズステップと、前記リサイズされた動画データをメールに添付してメールを作成するメール作成ステップと、前記作成されたメールを送信する送信ステップとを具備することを特徴とする。
【発明の効果】
【００１８】
請求項１記載の発明によれば、リサイズ手段により、動画データの縦横サイズをリサイズし、メール作成手段により、上記リサイズされた動画データをメールに添付してメールを作成し、送信手段により、作成されたメールを送信するようにしたので、動画を添付したメールの送信に係る利便性を向上させることができるという利点が得られる。
【００１９】
また、請求項２記載の発明によれば、切取手段により、動画データを時間軸上で一部を切り取り、メール作成手段により、上記切り取られた動画データをメールに添付してメールを作成し、送信手段により、作成されたメールを送信するようにしたので、動画を添付したメールの送信に係る利便性を向上させることができるという利点が得られる。
【００２０】
また、請求項３記載の発明によれば、結合手段により、複数の動画データを結合し、メール作成手段により、結合された動画データをメールに添付してメールを作成し、送信手段により、作成されたメーを送信するようにしたので、動画を添付したメールの送信に係る利便性を向上させることができるという利点が得られる。
【００２１】
また、請求項４記載の発明によれば、元の動画データから新たな動画データを生成する際に、動画変換手段により、元の動画データをデコードしつつ、メールに添付可能なビットレートで再エンコードするようにしたので、動画を添付したメールの送信に係る利便性を向上させることができるという利点が得られる。
【００２２】
また、請求項５記載によれば、自身の撮像手段によって撮像された撮像データを動画データとするようにしたので、動画を添付したメールの送信に係る利便性を向上させることができるという利点が得られる。
【００２３】
また、請求項６記載の発明によれば、撮影手段により動画を設像し、切取手段により撮像された動画データを時間軸上で一部を切り取り、リサイズ手段により、切り取られた動画データの縦横サイズをリサイズし、メール作成手段により、リサイズされた動画データをメールに添付してメールを作成し、送信手段により、作成されたメールを送信するようにしたので、動画を添付したメールの送信に係る利便性を向上させることができるという利点が得られる。
【００２４】
また、請求項７記載の発明によれば、動画データの縦横サイズをリサイズし、リサイズされた動画データをメールに添付してメールを作成し、前記作成されたメールを送信するようにしたので、動画を添付したメールの送信に係る利便性を向上させることができるという利点が得られる。
【００２５】
また、請求項８記載の発明によれば、動画データを時間軸上で一部を切り取る切り取り、前記切り取られた動画データをメールに添付してメールを作成し、前記作成されたメールを送信するようにしたので、動画を添付したメールの送信に係る利便性を向上させることができるという利点が得られる。
【００２６】
また、請求項９記載の発明によれば、複数の動画データを結合する結合し、前記結合された動画データをメールに添付してメールを作成し、前記作成されたメールを送信するようにしたので、動画を添付したメールの送信に係る利便性を向上させることができるという利点が得られる。
【００２７】
また、請求項１０記載の発明によれば、元の動画データから新たな動画データを生成する際に、元の動画データをデコードしつつ、メールに添付可能なビットレートで再エンコードするようにしたので、動画を添付したメールの送信に係る利便性を向上させることができるという利点が得られる。
【００２８】
また、請求項１１記載の発明によれば、撮像手段によって撮像された撮像データを動画データとするようにしたので、動画を添付したメールの送信に係る利便性を向上させることができるという利点が得られる。
【００２９】
また、請求項１２記載の発明によれば、撮像手段によって撮像された動画データを時間軸上で一部を切り取る切り取り、前記切り取られた動画データの縦横サイズをリサイズし、前記リサイズされた動画データをメールに添付してメールを作成し、前記作成されたメールを送信するようにしたので、動画を添付したメールの送信に係る利便性を向上させることができるという利点が得られる。
【発明を実施するための最良の形態】
【００３０】
以下、本発明の実施の形態を、図面を参照して説明する。
【００３１】
Ａ．実施形態の構成
図１は、本発明の実施形態によるカメラ付き携帯電話１の外観図（開状態：正面図および背面図）である。本実施形態における携帯電話１は、蓋部と本体部からなる二つ折り構造である。スピーカ１０１は、蓋部の前面側に設けられており、音声出力を行なう。表示部（メイン表示部）１０２は、カラー液晶であり、ＱＶＧＡの解像度を有し、撮影した画像やダウンロードした画像を表示可能となっている。アンテナ１０３は、本体部の背面に設けられており、伸縮自在となっている。
【００３２】
カメラキー１０４は、撮影モードへの移行、撮影部の起動を指示するためのキーである。メールキー１０５は、メールモードへの移行、メールプログラムのロードを指示するためのキーである。十字キー１０６は、カーソルの移動、フォーカス（選択）の移動を指示するためのキーである。決定キー１０７は、モード選択を決定したり、選択を決定したりする他、動画撮影の際のシャッター操作も兼ねている。アドレスキー１０８は、アドレス帳データを表示するためのキーである。ネット接続キー１０９は、インターネットへ接続するためのキーである。クリアキー１１０は、選択などをキャンセルするためのキーである。オンフックキー１１１は、回線を接続するためのキーである。オフフックキー１１２は、回線を切断するためのキーである。テンキー１１３は、文字入力やダイアル入力を行なうためのキーである。
【００３３】
マイク１１４は、本体部の下部に設けられており、通話時における音声入力を行なう。録音用マイク１１５は、音声メモや動画撮影時の音声などを入力する。サブ表示部１１６は、蓋部の背面に設けられており、携帯電話１が閉じられた状態において、日時表示や、着信報知、メール着信報知、静止画や動画撮影時の補助画面などに用いられる。報知用ＬＥＤ１１７は、着信報知、メール着信報知を行なう。
【００３４】
撮像レンズ１１８は、蓋部２の背面、上記サブ表示部１６の下部に設けられており、静止画や動画を撮影する。フラッシュ用ＬＥＤ１１９は、静止画や動画撮影時に点灯し、露出不足を防止する。報知スピーカ１９は、着信や緊急時などを報知するものであり、蓋部を本体部に閉じた状態でも報知音が聞こえるように、本体部の裏面に配置されている。
【００３５】
次に、図２は、上述したカメラ付き携帯電話１の構成を示すブロック図である。図において、無線送受信部１２１は、無線によりアンテナ１０３を介して音声やデータ（メールデータ）を送受し変調／復調するなど、ＰＳＫ方式に基づく変復調、ＣＤＭＡ方式に基づく端末認証処理を含む通信処理を行なう。
【００３６】
制御部１２２は、ＷＷＷ接続制御を含む当該機器を制御する。通信データ処理部１２２１は、ＣＬＥＰ系ボコーダ＆音声復号処理回路、パケットデータ生成回路、およびパケットデータ復元回路を含み、通信プロトコルに沿ったデータ処理を行なう。システムＲＯＭ１２２２は、当該機器を制御するための基本システムプログラムを格納する。オーディオインターフェース１２２３は、通信データ処理部１２２１で処理される音声信号の入出力処理を行ない、マイク１１４または録音用マイク１１５からの音声を入力して音声信号に変換したり、音声信号をスピーカ１０１から出力する。
【００３７】
アドレスデータバス処理部１２３は、周辺回路（点線枠）とのデータの入出力タイミング等を制御・管理する。ＲＡＭ１２４は、アドレス帳データや、メールデータ等、機器内で生成される各種データを記憶する。プログラムＲＯＭ１２５は、書換可能なＦｌａｓｈ  ＲＯＭで構成され、各種アプリケーションプログラムを格納する。
【００３８】
表示モジュール系ドライバ１２８は、サブ表示部１１６、メイン表示部１０２、ＬＥＤ１１７，１１９を駆動させる。音源ＩＣ１２６は、着信音などを生成する。アンプ１２７は、音源ＩＣ１２６からの音声信号を増幅し、スピーカ１２０から出力する。撮像デバイス１３０は、ＣＣＤ、若しくはＣＭＯＳで構成され、撮像レンズ１１８により集束された映像をカラー画像として取り込む。ＤＳＰ１２９は、撮像デバイス１３０にて取り込まれた画像をデジタル信号処理する。符号化処理部１３１は、後述の処理において、撮像デバイスを介して入力された動画をリアルタイムでＭＰＥＧ−４方式に基づいて圧縮符号化してＲＡＭ１２４のその他ワークメモリ１２４４に格納する他、後述の動画編集モードにおいて、サイズ変換、切り出し処理、及び、結合処理対象となる動画ファイルを、編集前に伸張処理して再生表示させる一方、編集後の動画を再び圧縮符号化して、メール添付用の動画ファイルを生成する。
【００３９】
次に、図３（ａ）は、カメラ付き携帯電話１のプログラムＲＯＭ１２５のメモリエリアの構成を示す概念図である。該プログラムＲＯＭ１２５は、本実施形態の特徴であるソフトウェアプログラムを格納する。プログラムＲＯＭ１２５は、メールソフトウェアプログラム領域１２５１、画像処理プログラム領域１２５２およびその他のプログラム領域１２５３からなる。
【００４０】
メールソフトウェアプログラム領域１２５１は、既知のメールソフトウェアプログラムを格納する。画像処理プログラム領域１２５２は、撮像部（撮像レンズ１１８、撮像デバイス１３０、ＤＳＰ１２９）で撮像・デジタル符号化され、撮像データバッファ領域１２４５にバッファリングされた動画データに対し、符号化処理部１３１にて実行されるメール添付のためのリサイズ処理、所定の再生時間のトリミング処理、動画データ同士の結合処理の各画像処理プログラムを格納する。なお、画像処理プログラムは、インターネットなどを介してサーバからダウンロードするようにしてもよい。その他のプログラム領域１２５３は、上記以外のアプリケーションプログラムなどを格納する。
【００４１】
次に、図３（ｂ）は、カメラ付き携帯電話１のＲＡＭ１２４のメモリエリアの構成を示す概念図である。ＲＡＭ１２４は、アドレス帳データ格納領域１２４１、メールデータ格納領域１２４２、添付ファイル格納領域１２４３、その他のワークメモリ１２４４および撮像データバッファ領域１２４５からなる。アドレス帳データ格納領域１２４１は、氏名、電話番号、メールアドレス等を一組のレコードとして複数格納する。メールデータ格納領域１２４２は、メールソフトウェアを使用して作成されたメールデータや、受信したメールデータを格納する。添付ファイル格納領域１２４３は、メールにファイルが添付されている場合、このファイルを格納する。その他・ワークメモリ１２４４は、その他のワークメモリとして各種データを格納する。撮像データバッファ領域１２４５は、撮影中の画像を一度バッファリングするための記憶領域である。
【００４２】
Ｂ．実施形態の動作
次に、上述した実施形態の動作について説明する。
Ｂ−１．動画撮影
まず、動画撮影について説明する。ここで、図４は、本実施形態によるカメラ付き携帯電話１における動画撮影の動作を説明するためのフローチャートである。まず、撮影デバイス１３０、ＤＳＰ１２９を起動する（ステップＳ１０）。次に、画像処理プログラムをロードして、符号化処理部１３１を動作させ（ステップＳ１２）、メイン表示部１０２にスルー画像を表示する（ステップＳ１４）。次に、シャッターキー１４５が押圧されたか否かを判断する（ステップＳ１６）。そして、決定キー１０７が押下されない場合には、ステップＳ１４へ戻り、スルー画像の表示を継続する。
【００４３】
一方、決定キー１０７が押下されると、撮像されたデータを順次取り込むと同時に符号化処理部１３１に出力して圧縮符号化してファイル化する（ステップＳ１８）。該撮像データの取り込み過程においては、動画撮影モード開始時において、予め設定されたサイズ（Ｌ＝縦１７６ドット×横１４４ドット、Ｍ＝縦１２８ドット×横９６ドット、Ｓ＝縦９６ドット×横８０ドット）で撮像データバッファ領域１２４５の容量一杯まで保存できるものとする。そして、再び決定キー１０７が押圧されたか否かを判断する（ステップＳ２０）。決定キー１０７が押圧されていない場合には、ステップＳ１８へ戻り、撮像を継続する。
【００４４】
一方、決定キー１０７が押圧された場合には、符号化された動画ファイルにタイムスタンプに基づいてファイル名を付加しＲＡＭ１２４のその他のワークメモリ１２４４に格納し（ステップＳ２２）、その後、ステップＳ１４へ戻り、前述した処理を継続する。
【００４５】
Ｂ−２．動画編集モード
次に、動画編集モードについて説明する。ここで、図５は、動画編集モードが選択された場合の動作を説明するためのフローチャートである。まず、動画編集モードが選択されると、動画変換メニューをメイン表示部１０２に表示する（Ｓ３０）。動画変換メニューには、「切り出し」、「結合」、「Ｅメール添付用に変換」などの編集項目が表示される。次に、動画変換メニューにおいて、動画を所望の再生時間分だけ切り出す「切り出し」が選択されたか否かを判断する（Ｓ３２）。そして、「切り出し」が選択された場合には、後述する「切り出し」処理を実行する（Ｓ３４）。一方、「切り出し」が選択されなかった場合には、複数の動画を１つの動画に結合する「結合」が選択されたか否かを判断し（Ｓ３６）、「結合」が選択された場合には、後述する「結合」処理を実行する（Ｓ３８）。
【００４６】
一方、「切り出し」も「結合」も選択されなかった場合には、Ｅメールに添付するための編集を行なう「Ｅメール添付用に変換」が選択されたか否かを判断し（Ｓ４０）、「Ｅメール添付用に変換」が選択された場合には、後述する「Ｅメール添付用に変換」処理を実行する（Ｓ４２）。いずれの編集項目も選択されなかった場合には、「戻る」ボタンが選択されたか否かを判断し（Ｓ４４）、「戻る」ボタンが選択された場合には、ステップＳ３２へ戻り、上述した処理を繰り返す。一方、「戻る」ボタンが選択された場合には、図示しないメインメニュー（あるいは待受け画面等）へ戻る。
【００４７】
Ｂ−３．Ｅメール添付用に変換
次に、上述した動画変換メニューにおいて、「Ｅメール添付用に変換」が選択された場合の動作について説明する。ここで、図６は、「Ｅメール添付用に変換」の動作を説明するためのフローチャートである。また、図７は、「Ｅメール添付用に変換」におけるメイン表示部の表示例を示す模式図である。
【００４８】
図７（ａ）に示す動画変換メニューにおいて、編集対象となる動画ファイルがその他ワークメモリ１２４４から読み出されて、その先頭フレームが表示されているとき、「Ｅメール添付用に変換」が選択されると、図７（ｂ）に示すＥメール添付用に変換サブメニューを表示する（Ｓ５０）。該変換サブメニューでは、Ｅメールに添付する動画のサイズのＳサイズまたはＭサイズへの変換を選択する（Ｓ５２）。次に、図７（ｂ）に示す変換サブメニューで「ＯＫ」が選択されたか否かを判断し（Ｓ５４）、変換すべきサイズが選択された後、「ＯＫ」が選択されると、動画の切り出しを行なうべく、まず、始点位置を指定する（Ｓ５６）。
【００４９】
始点位置の指定は、図７（ｃ）に示すように、「再生」ボタン（決定キー１０７に相当）を操作する。すると、編集対象となる動画ファイルが伸張処理され、メイン表示部に動画として再生表示される。この時ユーザはメイン表示部１０２の動画再生領域で再生される動画を見ながら、始点位置としたい所望の表示タイミングになると、「一時停止（図示では縦線２本で示される）」ボタン（決定キー１０７に相当）を操作し、次いで、「始点」ボタン（カメラキー１０４に相当）を操作することでＥメール添付用に切り出される動画ファイルの開始フレームを確定する。尚、動画再生中は、動画再生領域の下部に表示されたプログレスバー１０２０において、現在再生されているフレームに相当するアイコン１０２１が右方向に移動し、動画全体のどのあたりを再生しているかが示される。始点位置が確定されると「始点プログレスバー１０２０上に始点位置マーク１０２２が表示される。
【００５０】
始点位置マーク１０２２が表示されると、プログレスバー１０２０上に自動的に１５秒後に相当する終点位置マーク１０２３が表示され、終点位置が指定される（Ｓ５８）。
【００５１】
図８には、始点位置マーク１０２２および終点位置マーク１０２３が表示されたプログレスバー１０２０の様子が示されている。プログレスバー１０２０には、上述したように、動画のどの部分を切り出すかを示す始点位置マーク１０２２と終点位置マーク１０２３が表示されている。
【００５２】
切り出し位置が指定されると、次に、図９に示す確認画面を表示する（Ｓ６０）。該確認画面では、「再生」ボタンが操作されると、「停止」ボタンが操作されるまで、上述した始点位置から終点位置までを再生する。このとき、動画サイズは、ステップＳ５２で指定された、ＳサイズまたはＭサイズにリサイズされる。確認画面において、「保存」ボタンが操作されると、次に、始点位置から終点位置まで１フレーム毎に復号し（Ｓ６２）、ステップＳ５２で指定されたサイズにリサイズし（Ｓ６４）、さらに、メールに添付可能なスペック（低ビットレート）に圧縮符号化し、ヘッダ調整を行なう（Ｓ６６）。そして、ＲＡＭ１２４のその他のワークメモリ１２４４に新たな動画として保存する（Ｓ６８）。保存完了後には、図１７のメール送信のフローチャートに自動的に移行する。
【００５３】
Ｂ−４．切り出し
次に、上述した動画変換メニューにおいて、「切り出し」が選択された場合の動作について説明する。ここで、図１１は、「切り出し」の動作を説明するためのフローチャートである。また、図１２ないし図１４は、「切り出し」を選択した場合のメイン表示部の表示例を示す模式図である。
【００５４】
図１２（ａ）に示す動画変換メニューにおいて、「切り出し」が選択されると、ユーザは動画の切り出しを行なうべく、まず、始点位置を指定する（Ｓ７０）。始点位置の指定は、図１２（ｂ）に示すように、「再生」ボタン（決定キー１０７に相当）を操作し、メイン表示部１０２の動画再生領域で再生される動画を見ながら、始点位置に達した時点で「一時停止（図示では縦線２本で示される）」ボタン（決定キー１０７に相当）を操作して一時停止し、次いで、「始点」ボタンを操作する。これにより、切り出すべき動画ファイルの先頭フレームが確定する。
【００５５】
次に、切り出しの終点位置を指定する（Ｓ７２）。終点位置の指定は、「再生」ボタンを操作し、図１３に示すように、メイン表示部１０２の動画再生領域で再生される動画を見ながら、終点位置に達した時点で「一時停止（図示では縦線２本で示される）」ボタンを操作して一時停止し、次いで、「終点」ボタンを操作する。これにより、切り出すべき動画ファイルの最終フレームが確定する。
【００５６】
プログレスバー１０２０には、前述したように、動画のどの部分を切り出すかを示す始点位置マーク１０２２と終点位置マーク１０２３がマークが表示される。
【００５７】
切り出し位置が指定されると、次に、図１４に示す確認画面を表示する（Ｓ７４）。該確認画面では、「再生」ボタンが操作されると、「停止」ボタンが操作されるまで、上述した始点位置マーク１０２２から終点位置マーク１０２３までを再生する。確認画面において、「保存」ボタンが操作されると、次に、始点位置から終点位置まで圧縮符号化し、ヘッダ調整を行なう（Ｓ７６）。そして、ＲＡＭ１２４のその他のワークメモリ１２４４に新たな動画として保存する（Ｓ７８）。保存完了後には、前述した図１０に示すように、保存されている動画のリストを一覧表示する。
【００５８】
Ｂ−５．結合
次に、上述した動画変換メニューにおいて、「結合」が選択された場合の動作について説明する。ここで、図１５は、「結合」の動作を説明するためのフローチャートである。また、図１６は、「結合」を選択した場合のメイン表示部の表示例を示す模式図である。
【００５９】
図１６（ａ）に示す動画変換メニューにおいて、「結合」が選択されると、動画の結合を行なうべく、まず、図１６（ｂ）に示す結合すべきムービー選択画面を、メイン表示部１０２を表示する（Ｓ８０）。選択画面には、既に保存されている動画の先頭フレームのサムネイルが一覧表示される。次に、図１６（ｂ）に示す選択画面において、「再生」ボタンが操作されたか否かを判断する（Ｓ８２）。そして、「再生」ボタンが操作された場合には、カーソルで選択されている動画を再生する（Ｓ８４）。その後、ステップＳ８０へ戻り、上述した処理を繰り返す。
【００６０】
一方、「再生」ボタンが操作されない場合には、「選択」ボタンが操作されたか否かを判断する。そして、「選択」ボタンが操作された場合には、そのとき、チェックなしの動画にカーソルがあれば、「選択」を表示し、サムネイルに選択された順番を示す番号を表示し、選択リストに加える（Ｓ８８）。なお、既に選択された動画（既にチェックあり）を再度選択した場合には、選択を解除する。次に、「確定」ボタンが操作されたか否かを判断する（Ｓ９０）。そして、「選択」も「確定」ボタンも操作されない場合には、ステップＳ８０へ戻り、上述した処理を繰り返す。
【００６１】
なお、動画選択においては、１番目に選択した動画のサイズ、種別以外の動画は選択不可となり、選択不可の動画はカスレ表示とする。また、選択可能な最大数は、５ファイルとする。また、３件以上選択済で２件目を削除した場合には、３件目を２件目に変更するようになっている。
【００６２】
「確定」ボタンが操作された場合には、図１６（ｃ）に示す再生画面を表示する（Ｓ９２）。次に、再生画面において、「再生」ボタンが操作されたか否かを判断する（Ｓ９４）。そして、「再生」ボタンが操作された場合には、選択リストに加えた動画を、選択した順番に連続再生する（Ｓ９６）。その後、ステップＳ９２へ戻り、上述した処理を繰り返す。
【００６３】
一方、再生画面において、「保存」ボタンが操作れたか否かを判断する（Ｓ９８）。そして、「保存」ボタンが操作された場合には、選択された各動画について、始点位置から終点位置まで１フレーム毎に復号した後（Ｓ１００）、再び圧縮符号化し、ヘッダ調整を行なう（Ｓ１０２）。そして、１つの結合した新たな動画として保存する（Ｓ１０４）。保存完了後には、前述した図１６（ｄ）に示すように、保存されている動画のリストを一覧表示する。
【００６４】
なお、動画の結合においては、各動画に記録されている音声データおよびテキストデータの結合も可能となっている。また、５つ目以降のテキストデータについては、動画再生時には再生可能であるが、編集時に５つ目以降を破棄するようになっている。また、動画がＧＰＳ情報を有する場合には、１番目に選択した動画のＧＰＳ情報を有効とする。
【００６５】
Ｂ−６．Ｅメール送信
次に、上述した処理により作成した動画をＥメールに添付して送信する動作について説明する。ここで、図１７は、Ｅメールの送信動作を説明するためのフローチャートである。図６のステップＳ６８より、「Ｅメール」ボタンが操作されたか否かを判断する（Ｓ１１０）。「Ｅメール」が選択された場合には、添付ファイルとして保存する（Ｓ１１２）。そして、通常のメール新規作成画面を表示し（Ｓ１１４）、メールの作成へ進む。
【００６６】
上述した実施形態では、Ｅメールに添付する動画に対して、リサイズ、切り出し、結合からなる編集を可能としたので、ユーザは、メールに添付可能であるかなどを判別する必要がなくなり、動画を添付したメールの送信に係る利便性を向上させることができる。
【００６７】
なお、上述した実施形態においては、カメラ付き携帯電話にて撮影された動画について、リサイズ、切り出し、結合するようにしていたが、これに限らず、携帯電話外部より、有線、無線を問わず入力保存された動画ファイルについて、Ｅメール添付用にリサイズするようにしてもよい。
また本実施の形態においては、カメラ付き携帯電話に本発明を適用した場合について述べたがこれに限らず、Ｅメール作成機能を有する電子機器であれば、これに限定されないことは言うまでも無いことである。
【図面の簡単な説明】
【００６８】
【図１】本発明の実施形態によるカメラ付き携帯電話１の外観図（開状態：正面図および背面図）である。
【図２】カメラ付き携帯電話１の構成を示すブロック図である。
【図３】カメラ付き携帯電話１のプログラムＲＯＭ１２５およびＲＡＭ１２４のメモリエリアの構成を示す概念図である。
【図４】本実施形態によるカメラ付き携帯電話１における動画撮影の動作を説明するためのフローチャートである。
【図５】動画編集モードが選択された場合の動作を説明するためのフローチャートである。
【図６】「Ｅメール添付用に変換」の動作を説明するためのフローチャートである。
【図７】「Ｅメール添付用に変換」におけるメイン表示部の表示例を示す模式図である。
【図８】「Ｅメール添付用に変換」におけるメイン表示部の表示例を示す模式図である。
【図９】「Ｅメール添付用に変換」におけるメイン表示部の表示例を示す模式図である。
【図１０】「Ｅメール添付用に変換」におけるメイン表示部の表示例を示す模式図である。
【図１１】「切り出し」の動作を説明するためのフローチャートである。
【図１２】「切り出し」を選択した場合のメイン表示部の表示例を示す模式図である。
【図１３】「切り出し」を選択した場合のメイン表示部の表示例を示す模式図である。
【図１４】「切り出し」を選択した場合のメイン表示部の表示例を示す模式図である。
【図１５】「結合」の動作を説明するためのフローチャートである。
【図１６】「結合」を選択した場合のメイン表示部の表示例を示す模式図である。
【図１７】Ｅメールの送信動作を説明するためのフローチャートである。
【符号の説明】
【００６９】
１０１  スピーカ
１０２  メイン表示部
１０３  アンテナ
１０４〜１１３  入力部
１１４  マイク
１１５  マイク
１１６  サブ表示部
１１７  ＬＥＤ
１１８  撮像レンズ（撮像手段）
１１９  ＬＥＤ
１２０  スピーカ
１２１  無線部（送信手段）
１２２  制御部（リサイズ手段、メール作成手段、切取手段、結合手段、動画変換手段）
１２２１  通信データ処理部（送信手段）
１２２２  システムＲＯＭ
１２２３  オーディオインターフェース
１２３  アドレスデータバス処理部
１２４  ＲＡＭ
１２５  プログラムＲＯＭ
１２６  音源ＩＣ
１２７  ＡＭＰ
１２８  表示モジュール系ドライバ
１２９  ＤＳＰ（撮像手段）
１３０  撮像デバイス（撮像手段）
【図１】
2005044187.tif 000003
【図２】
2005044187.tif 000004
【図３】
2005044187.tif 000005
【図４】
2005044187.tif 000006
【図５】
2005044187.tif 000007
【図６】
2005044187.tif 000008
【図７】
2005044187.tif 000009
【図８】
2005044187.tif 000010
【図９】
2005044187.tif 000011
【図１０】
2005044187.tif 000012
【図１１】
2005044187.tif 000013
【図１２】
2005044187.tif 000014
【図１３】
2005044187.tif 000015
【図１４】
2005044187.tif 000016
【図１５】
2005044187.tif 000017
【図１６】
2005044187.tif 000018
【図１７】
2005044187.tif 000019